(57)【特許請求の範囲】
【請求項１】
建築中建物の複数の水平鋼材の突出端部に沿って仮設する仮設通路であって、
前記水平鋼材の突出端部に載せられる固定金具と、
前記固定金具にボルトにより連結され、前記水平鋼材の突出端部に通路幅間隔で前記固定金具を介して支持される複数の水平ビーム材と、
通路幅間隔に配置した一対の水平ビーム材の上に、その長手方向と直角に載置され、かつ両端に各水平ビーム材の上端を挟持する挟持部を有するとともに、中央上面に足場板の支持面を有する足場板支持部材と、
前記足場板支持部材に支持される複数の足場板とを有し、
前記水平鋼材のフランジ部に係止される係止片を前記固定金具の片側に設けるとともに、前記水平鋼材のフランジ部に係止される係止駒を前記固定金具の他側に回動可能に設け、前記固定金具を前記水平鋼材のフランジに着脱可能とすることを特徴とする仮設通路。
【請求項２】
足場板支持部材は、通路間隔に配置した一対の水平ビーム材の間に配置され上面に足場板の支持面を有する四角形状の枠組と、枠組の上辺から両側に突出する両突出部と、前記両端突出部から下方に突出される係止片とから構成され、四角形状の枠組の上部両端に手摺の支柱支持材が設けられていることを特徴とする請求項１に記載の仮設通路。
【請求項３】
水平ビームは、長手方向に伸縮可能に構成されていることを特徴とする請求項１または２に記載の仮設通路。
【発明の詳細な説明】
【０００１】
【発明の属する技術分野】
本発明は、建築中の建物の複数の水平鋼材の突出端部に水平ビームを通路方向に設けて、その上に足場板を保持させるようにした仮設通路に関する
【０００２】
【従来の技術】
建築物の施工中は、外壁作業などのために建物外部に足場が組まれ、また資材の搬送のためにその足場に足場板を水平に固定させて、仮設通路にしている。このような仮設通路は、パイプ材をクランプで連結固定して足場を組み上げ、足場の各水平パイプ間に順に足場板を掛け渡して仮設通路にしている。
【０００３】
【発明が解決しようとする課題】
上記従来の仮設通路では、パイプで足場を組立てて、その足場の水平部材に足場板を掛け渡して仮設通路にしているので、足場を組立てるためのスペースが建築物の周囲に必要であるとともに、足場の組立て作業に多くの人手を要するという問題がある。
そこで本発明は、パイプで足場を組立てるスペースがないような場合でも容易に仮設通路を建築中の建物周囲に設けられるようにするとともに、仮設通路を簡単かつ容易に仮設できるようにすることを目的とする。
【０００４】
【課題を解決するための手段】
本発明は、建築中建物の複数の水平鋼材の突出端部に仮設する仮設通路であって、上記目的を達成したものである。その仮設通路は、前記水平鋼材の突出端部に沿って通路幅間隔で支持させる複数の水平ビーム材と、通路幅間隔に配置した一対の水平ビーム材の上に、その長手方向と直角に載置されるとともに、両端に各水平ビーム材の上端を挟持する挟持部を有しかつ、中央上面に足場板の支持面を有する足場板支持部材と、前記足場板支持部材に支持される複数の足場板とから構成した。
足場板支持部材は、通路幅間隔に配置した一対の水平ビーム材の間に配置され上面に足場板の支持面を有する四角形状の枠組と、枠組の上辺から両側に突出する両端突出部と、前記両端突出部から下方に突出される係止片とから構成され、四角形状の枠組の上部両端に支柱支持材を設けて手摺を保持できるようにした。長手方向に配置した隣合う２つの水平ビーム材の両端は、水平鋼材の突出端部に固定金具で固定できるようにし、その固定金具は水平鋼材の上フランジに着脱可能に構成した。
また水平ビーム材は、長手方向に伸縮可能に構成して、建築中建物の水平鋼材の端部に位置合わせできるようにすることができる。
【０００５】
上記の仮設通路は、建築中建物の床を支持する複数の水平鋼材の突出端部に沿って水平ビーム材の端部を固定することにより、通路幅間隔に２列に水平ビームを配置して、一対の水平ビーム間に足場板支持部材を配置してその両端挟持部でそれぞれ水平ビーム材の上部を挟持する。さらに両側の水平ビーム材の間に棒状の支持材を掛け渡し、その支持材と足場板支持部材との上に足場板を掛け渡すことにより建物外周に仮設通路を設けることができる。なお、棒状の支持材は必ずしも一対の水平ビーム間に掛け渡さなくてもよく、その場合は、足場板支持部材により足場板を支持する。このように、建物の水平鋼材の突出端部に仮設通路を支持させることにより、建物周囲に足場を組立てるスペースがない場合でも、仮設通路を設けることができ、その作業も足場を組立てる従来例に比較して容易である。
【０００６】
【発明の実施の形態】
本発明の仮設通路の実施例を図１〜図５により説明する。
仮設通路は、建築中建物の床を支持する複数の水平鋼材（例えばＩ型鋼）の突出端部１に沿って設けるものであり、水平鋼材の突出端部１に通路幅間隔で２列に固定する水平ビーム材２と、前記の一対の水平ビーム材２の間に固定させる足場板支持部材３及び棒状の支持材４と、前記足場板支持部材３と棒状の支持材４に支持される足場板５とで構成されている。
【０００７】
水平ビーム材２は、図１に示されるように、上下２本の長い鋼材２ａが連結材２ｂでトラス状に連結されており、上側の長い鋼材２ａの両端に、それを水平鋼材の突出端部１にボルトで固定させるための孔が設けられている。そして、図１（ｂ）に示すように水平鋼材の突出端部１に固定金具６を載せ、さらにその上に長手方向に配置された隣合う水平ビーム材２の両端部が載せられてボルト７により連結されるようになっている。なお固定金具６は、片側にＩ型鋼のフランジに係止させる係止片６ａが設けられ、他側のブラケットに係止駒６ｂが軸６ｃの回りに回動可能に設けられ、係止駒６ｂをフランジに係止させた状態でピン６ｄにより係止駒６ｂを固定することにより、固定金具６を突出端部１に固定できるようにしている。
また、上下２本の長い鋼材２ａは、ともに中央部２ｃと両端部２ｄとに分割されて、両端部が中央部に対してスライド可能に構成されている。そして、その中央部２ｃと両端部２ｄの重なる部分にともに適数個の孔２ｅが適宜間隔で設けられ、適宜位置で両者の孔を一致させてピン２ｆを通すことにより長さを固定して、水平ビーム２の両端を水平鋼材の突出端部１の位置に合わせられるようになっている。なお水平ビーム材２は図２に示されるように、その中央部２ｃに対し両端部２ｄがスライドできるように、連結材２ｂは内側と外側にずらした状態に配置されている。
【０００８】
水平ビーム２の長手方向と直角に配置される足場板支持部材３は、通路幅間隔で配置した一対の水平ビーム材２の間に配置される四角形状の枠組３ａの上辺の両側に突出部３ｂが設けられ、さらにその突出部３ｂの先端から下方に係止片３ｃが突出され、枠組３ａの上部両端とその外側の突出部３ｂと係止片３ｃとで、挟持部を構成している。そしてその挟持部で、水平ビーム材２の上部を挟持することにより、足場板支持部材３を一対の水平ビーム２に固定でき、しかも一対の水平ビーム材２を所定間隔に保持できるようになっている。なお、足場板支持部材３の枠組３ａの上面は足場板の支持面となり、四角形の枠組のはすかいとして補強材３ｄが設けられている。また足場板支持部材３の固定のために、前記挟持部に加えてボルトにより水平ビーム材２に固定させるようにしてもよい。
また足場板支持部材３は、枠組３ａの上部両端に手摺支柱を支持する支柱支持材８が設けられ、その支柱支持材８は枠組３ａの両端にそれを挟んで両側に計２本設けられ、それに手摺支柱を差し込んで保持できるとともに、支柱支持材８が枠組３ａの上辺より上に突出されて、その部分で後記する足場板５が両横に移動するのを防止できるようになっている。
【０００９】
棒状の支持材４は、図４（ｂ）に示されるように、両端に下方への突片４ａが設けられ、通路間隔に配置した一対の水平ビーム材２の上部間に配置され、突片４ａをボルトにより水平ビームに固定することで、図４（ａ）に示す適宜間隔に複数本配置させる。また、通路間隔に配置した一対の水平ビーム材２は、図４に示すようにＸ字状に連結材９で連結され、２列の水平ビーム材２を所定間隔に保持できるようになっている。そして、２つの支持材４に図５に示す足場板５の両端フック５ａを係止することで、水平ビーム２の長手方向に足場板５を例えば３列に掛け渡せられるようになっている。なお、図４の棒状の支持材４は、各柱状に形成されているが、丸棒など足場板５のフック５ａが掛け易い断面形状の棒を適用できる。また足場板５は、棒状の支持材４に支持させた状態で、足場板支持部材３の上を覆った状態に配置され、足場板５は足場板支持部材３の上面によっても支持される。
【００１０】
上記の仮設通路を形成する各部材を使用して、建築中の建物の外壁周囲に仮設通路を設ける場合は、建築中建物の複数の水平鋼材の突出端部１に沿って水平ビーム材２を通路間隔に２列に配置して固定金具により図１（ｂ）に示すように固定する。その場合、水平ビーム材２の両端が水平鋼材の突出端部１の位置に対応するように、長さが調整されてピン２ｆにより長さが固定されている。次に、一対の水平ビーム材２の間に複数の足場板支持部材３を適宜間隔で配置し、足場板支持部材３の挟持部を水平ビーム材２の上部に挟持させて固定する。また足場板支持部材３の位置に一致させないようにして、棒状の支持材４を適宜間隔で一対の水平ビーム材２の上に配置し、ピンまたはボルトで固定する。次に、足場板５の両端のフック５ａを棒状の支持材４に係止して通路にする。さらに、足場板支持部材３の支柱支持材８に手摺支柱を差し込んで固定することにより仮設通路の両側に手摺を設けることができる。このようにして、建築中の建物周囲に仮設通路を設けることができる。
なお、前記では、足場板５を足場板支持部材３と棒状の支持材４に支持させたが、棒状の支持材４を使用することなく、足場板５の両端フック５ａを足場板支持部材３の上部に係止させて、足場板５を支持するようにする。
【００１１】
【発明の効果】
本発明の仮設通路は、建築中建物の水平鋼材の突出端部に水平ビーム材を取付けて、その長手方向に沿って足場板を掛け渡すようにしているので、建物の外周に足場を組立てるスペースがない場合でも仮設通路を設けることができる。また、水平ビームは、固定金具で容易に水平鋼材の突出端部に固定でき、足場板支持材は一対の水平ビーム材の上に配置するだけで固定が可能であり、仮設通路を容易に組立てることができ作業性がよい。
【図面の簡単な説明】
【図１】本発明の仮設通路における通路部分の足場板を配置する前の状態の側面図（ａ）と、水平ビーム材の連結部を示す拡大側面図（ｂ）と、水平ビーム材の連結部の平面を示す拡大平面図（ｃ）である。
【図２】図１のＡ−Ａ線断面図である。
【図３】足場板支持部材の斜視図である。
【図４】通路間隔に配置した一対の水平ビーム材に棒状の支持材を配置した状態の平面図（ａ）と、棒状の支持材の斜視図（ｂ）である。
【図５】足場板の斜視図である。
【符号の説明】
２    水平ビーム材
３    足場板支持部材
４    支持材
５    足場板
６    固定金具
８    支柱支持材
【図１】
0003865422.tif 000002
【図２】
0003865422.tif 000003
【図３】
0003865422.tif 000004
【図４】
0003865422.tif 000005
【図５】
0003865422.tif 000006